(57)【要約】【課題】  上前面枠１３を容易に開けられるようにする。【解決手段】  遊技盤１９を収容する内枠５に設けられた収納枠６と、  上記収納枠６に開閉可能に取り付けられ、上記遊技盤１９と、上記内枠５の該遊技盤１９を収納する部分とを上部分から下部分まで覆うと共に、該遊技盤１９上の見通しを確保する上前面枠１３とを備えたパチンコ機１であって、  上記上前面枠１３の下部分の縁部３５に設けられ、上記収納枠６内から該収納枠６外上に突出した外縁突出部３７と、  上記外縁突出部３７の上記収納枠６内部分に凹状に形成された外縁溝状凹部５７とを備えることを特徴とするパチンコ機１。【選択図】図３
2005237449.tif 000002
【特許請求の範囲】
【請求項１】
遊技盤を収容する内枠に設けられた収納枠と、
上記収納枠に開閉可能に取り付けられ、上記遊技盤と、上記内枠の該遊技盤を収納する部分とを上部分から下部分まで覆うと共に、該遊技盤上の見通しを確保する前面枠とを備えた遊技機であって、
上記前面枠の下部分の外縁に設けられ、上記収納枠内から該収納枠外上に突出した外縁突出部と、
上記外縁突出部の上記収納枠内部分に凹状に形成された外縁凹部と
を備えることを特徴とする遊技機。
【請求項２】
上記外縁凹部は、円弧状、４角状、又は３角状の穴状、或いは溝状に形成されていることを特徴とする請求項１に記載の遊技機。
【請求項３】
上記外縁突出部に面する上記収納枠の部分に、凹状に形成された枠凹部を備えることを特徴とする請求項１、又は請求項２に記載の遊技機。
【請求項４】
上記枠凹部が円弧状に形成されたことを特徴とする請求項３に記載の遊技機。
【請求項５】
上記外縁突出部が上記遊技盤の遊技に供する遊技球を蓄える遊技皿の近傍に設けられることを特徴とする請求項１ないし請求項４の何れかに記載の遊技機。
【発明の詳細な説明】
【技術分野】
【０００１】
本発明は、パチンコ遊技や回胴式遊技などを提供する遊技盤上をガラス等で覆う前面枠の構造、及びその前面枠を収納する内枠の構造に関する。
【背景技術】
【０００２】
従来、遊技機は、遊技盤上の見通しを確保するために、ガラス等を枠に填め込んだ前面枠を用いていた。この前面枠は、遊技盤上の見通しを確保すると共に、不正を排除しつつ、保守点検を可能にするため、内枠にヒンジで開閉自在に取り付けられ、かつ施錠される構成を有している。又、施錠機構は、解錠は鍵で行い、施錠は、前面枠を内枠に押し込むだけで済む様に構成されている。これにより、鍵で解錠を行うと、前面枠が施錠機構に押し戻されて、前面枠の縁部が内枠から露出する。
【０００３】
従って、日常の保守点検では、鍵で解錠し、前面枠の縁部を持って、前面枠を内枠から開ける動作が、繰り返し行われる。
この保守点検時の、前面枠の開閉を容易にするために、前面枠に取っ手を取り付ける技術も開発されている（特許文献１参照）。
【０００４】
又、近年、遊技機の意匠が集客力を大きく左右することに鑑み、遊技機全体をトータル的にデザインして、外観を斬新な態様にした遊技機が開発されている。
この様に外観を斬新な態様にする技法として、遊技機の外観部分の全てを滑らかな曲線を持った膨らみで覆うと共に、その膨らみの各部を工夫を凝らした立体的な飾りで覆い尽くす場合がある。
【０００５】
その上、デザイン性を優先するために、前面枠のガラスを囲う部分を全てプラスチック成形品で覆い、しかも、演出を行うために、そのプラスチック成形部分に、飾りを光らせたり、電飾を行うランプ類を内蔵させたり、飾りを動かすアクチュエータを内蔵させたり、或いは効果音を発するスピーカを取り付けたりする場合もある。
【特許文献１】特開２００３−３３５２８号公報  図１、図２
【発明の開示】
【発明が解決しようとする課題】
【０００６】
しかしながら、従来の技術では、ランプなどが取り付けられて前面枠の重量が増大したことから、前面枠が動き難くなり、鍵で解錠操作をしただけでは、前面枠が内枠から出難くなる傾向がある。この為、保守点検毎に、手掛かりや掴みやすい箇所を探して、前面枠を引き出すことになるが、前面枠の表面が滑らかな材質で作られ、しかも手掛かりになる箇所や掴みやすい箇所がないようなデザインの場合には、前面枠を開ける度に、余分な労力と時間を必要とし、保守点検性の低下を招く虞があった。
【０００７】
そこで、この様な引き出し難い問題を避けるために前面枠に取っ手を取り付け様とすると、美観を優先した場合には、遊技機毎に最適のデザインを持った取っ手を作って取り付けることになり、製造コストの上昇は甘受することになる。又、製造コストの増大を押さえようとした場合には、前面枠のデザインを無視して、画一的な取っ手を取り付け、美観の低下を享受するしかなかった。この為、何れの選択も採用するには、問題があった。
【０００８】
又、美観の低下を最小限にするために、手掛かりを、前面枠の外縁と内枠との間に作ると、この間隙からの異物の挿入を許し、故障や損傷を招いたり、或いは、遊技盤面にピアノ線やセルが挿入されて、役物などが操作され、大量の出玉が搾取されてしまう虞がある。
【０００９】
そこで、本発明では、美観が低下せず、セキュリティが向上した上で、前面枠を容易に開けることを可能にすることで、保守点検のし易い遊技機の提供を目的とする。
つまり、遊技機の美観の向上と、セキュリティの向上と、保守点検性の向上とを揃って達成することを目的とする。
【課題を解決するための手段】
【００１０】
上記課題を解決するための手段として、請求項１の発明の遊技機は、遊技盤を収容する内枠に設けられた収納枠と、上記収納枠に開閉可能に取り付けられ、上記遊技盤と、上記内枠の該遊技盤を収納する部分とを上部分から下部分まで覆うと共に、該遊技盤上の見通しを確保する前面枠とを備えた遊技機であって、上記前面枠の下部分の外縁に設けられ、上記収納枠内から該収納枠外上に突出した外縁突出部と、上記外縁突出部の上記収納枠内部分に凹状に形成された外縁凹部とを備えることを要旨とする。
【００１１】
これにより、前面枠は、収納枠に開閉可能に取り付けられ、例えば、パチンコ遊技や回胴式遊技を提供する遊技盤と、内枠の遊技盤を収納する部分とを上部分から下部分まで覆うと共に、遊技盤上の見通しを確保する。
【００１２】
前面枠が収納枠に閉じられた状態で、前面枠の下部分の外縁は、遊技者から見えることがない位置である。この前面枠の下部分の外縁で、収納枠内から収納枠外上に突出した外縁突出部は、遊技者から見えることがない位置に指掛かりを提供する。
【００１３】
この外縁突出部には、収納枠内部分に外縁凹部が凹状に形成されている。この外縁突出部の外縁凹部は、外縁突出部と収納枠との間から侵入してきた異物やピアノ線、セルなどの侵入経路上に位置し、侵入物の進路を外縁突出部と収納枠との間隙部分から、凹部内に誘導する。凹部内に誘導された侵入物は、凹部にぶつかって、それより先に侵入できなくされるか、或いは侵入経路を外縁突出部と収納枠との間隙部分以外に変更される。
【００１４】
従って、外縁凹部は、侵入物を前面枠と収納枠との間で遮断して、内枠内や遊技盤上にまで挿入できなくする。例えば、ピアノ線やセルを挿入して、パチンコ遊技機の役物の操作や賞球機構の操作を行うことが出来なくなる。又、回胴式遊技機の内部にピアノ線やセルを挿入して、センサやセレクタなどの操作を行うことが出来なくなる。
【００１５】
請求項２の発明の遊技機は、上記外縁凹部は、円弧状、４角状、又は３角状の穴状、或いは溝状に形成されていることを特徴とする請求項１に記載の遊技機を要旨とする。
これにより、外縁凹部を、円弧状にした場合には、外部からの侵入物を、外縁突出部と収納枠との間隙部分以外の方向に、スムースに誘導することが出来る。又、成形加工が容易である。４角状、又は３角状にした場合には、外部からの侵入物を角部で行き止まりにし、それ以上中への侵入を遮断することが出来る。穴状にすることで、外部からの侵入が行われ易い間隙がある箇所を選択して、防御することができる。溝状に形成するので、例えば、前面枠の下部の縁部の殆どをカバーするなど広い範囲の防御が可能になる。
【００１６】
請求項３の発明の遊技機は、上記外縁突出部に面する上記収納枠の部分に、凹状に形成された枠凹部を備えることを特徴とする請求項１、又は請求項２に記載の遊技機を要旨とする。
【００１７】
これにより、請求項１、請求項２と同様の作用が得られることに加え、外縁突出部に面する箇所に凹状の枠凹部があることで、外縁突出部の近傍に広い空間が形成され、例えば、この外縁突出部に指を掛ける場合に、収納枠が指掛けの阻害にならなくなる。つまり、指かけが容易になって、前面枠を開きやすくなる。
【００１８】
請求項４の発明の遊技機は、上記枠凹部が円弧状に形成されたことを特徴とする請求項３に記載の遊技機を要旨とする。
これにより、枠凹部が円弧状であることで、指掛け時にスムースに指が外縁突出部に案内されて、指掛けが容易になることと、外部からピアノ線やセルなどの侵入物を挿入しようとした場合に、この円弧状の枠凹部が侵入物を外縁突出部方向に案内して、外縁突出部と収納枠との間隙部分に侵入しないようにすることが可能になる。
【００１９】
請求項５の発明の遊技機は、上記外縁突出部が上記遊技盤の遊技に供する遊技球を蓄える遊技皿の近傍に設けられることを特徴とする請求項１ないし請求項４の何れかに記載の遊技機を要旨とする。
【００２０】
これにより、外縁突出部が遊技皿の近傍に位置することで、指を掛けることになる前面枠の縁部が遊技客から見えなくなり、前面枠のデザインに影響を与えなくなる。
【発明の効果】
【００２１】
請求項１の発明の遊技機は、前面枠のデザインに殆ど影響を与えない外縁で、かつ遊技者から見えない位置に指掛かりを作ると共に、その指掛かりとなる箇所で外部から内枠内や遊技盤上に挿入される侵入物を遮断することができることから、遊技機の美観を低下させず、セキュリティを向上した上で、前面枠を容易に開けることを可能して、美観の向上と、セキュリティの向上と、保守点検性の向上とを揃って達成することができるという極めて優れた効果を奏する。
【００２２】
請求項２の発明の遊技機は、色々な防御方法や防御箇所に対応することが可能になるという優れた効果を奏する。
請求項３の発明の遊技機は、請求項１、及び請求項２と同様の優れた効果が得られることに加え、指掛けが容易になって、前面枠が開きやすくなり、保守点検性が向上されるという極めて優れた効果を奏する。
【００２３】
請求項４の発明の遊技機は、指掛けがスムースになって、前面枠の開閉がより容易になることと、外部からの侵入物の侵入を排除する機能がより向上するという極めて優れた効果を奏する。
【００２４】
請求項５の発明の遊技機は、指を掛ける位置が遊技客から見えない箇所になり、前面枠のデザインに影響を与えなくなり、デザインの自由度が向上されると共に、遊技機の美観が向上されるという極めて優れた効果を奏する。
【発明を実施するための最良の形態】
【００２５】
次に発明の実施の形態を説明する。
図１は、遊技機としてのパチンコ機１を前面側（遊技者側）から見た正面図、図２は、パチンコ機１の右側面図である。
【００２６】
パチンコ機１は、図１に示すように、遊技島に取り付けられる外枠３と、この外枠３にヒンジ４によって開閉可能に取り付けられた内枠５と、内枠５の下部にヒンジ７によって開閉可能に取り付けられた下前面枠９と、内枠５に収納された遊技盤１９と、内枠５の上部の前面側に構成されている収納枠６に、遊技盤１９を覆う状態でヒンジ１１によって開閉可能に取り付けられた上前面枠１３と、下前面枠９に取り付けられた遊技球受け皿１５と、発射強度調整ハンドル１７と、上前面枠１３に取り付けられたスピーカ１８と、上前面枠１３に取り付けられ、遊技盤１９上の遊技領域２１の見通しを確保するガラス板２３と、ガラス板２３の周囲に取り付けられたガラス枠飾り２５、２７と、上前面枠１３を内枠５に施錠する施錠機構２９と、施錠機構２９の鍵穴３１の周囲を飾る鍵飾り３３とを備えている。
【００２７】
尚、パチンコ機１の構成は、どの様な構成のものであっても良い。又、特にパチンコ遊技に限るものでもなく、ガラス枠等の前面枠を開閉する構造を有する雀球式遊技やアレンジ式遊技、および回胴式遊技機など、どの様な型式の遊技であっても良い。
【００２８】
パチンコ機１は、遊技場での運用で、保守点検などの必要性から、鍵穴３１に鍵を挿入して施錠機構２９を解錠し、上前面枠１３を内枠５から開ける構成を備えている。
以下に、上前面枠１３を内枠５から開け易くする構成と、ゴト行為からの防御機能を高める構成とを説明する。
【００２９】
図３は、上前面枠１３の下部の詳細図、図４は、上前面枠１３の下部の説明図である。
上前面枠１３は、下部の縁部３５に、図２、図３、図４に示すように、上前面枠１３から下方に伸び、かつ収納枠６の収納枠内３９から収納枠６の前面側に突出した外縁突出部３７を備えている。この外縁突出部３７は、前面部４１が遊技者から見える位置に有り、縁部３５と、背面部４３（図３、図４参照）とが遊技者から見えない位置になる。
【００３０】
この背面部４３を前面側に引くことで、上前面枠１３が矢印ＹＡ方向に移動して、上前面枠１３が内枠５から開けられることになる。従って、この外縁突出部３７の背面部４３に指を掛けて、矢印ＹＡ方向に引くことで、容易に上前面枠１３が開けられることになる。
【００３１】
尚、外縁突出部３７は、図３、図４に示すように、上前面枠１３のデザインに合わせて、膨らみ曲げ部４５と、凹み曲げ部４７とが設けられ、上前面枠１３の美観を阻害しない働きと、指を背面部４３側に入れ易くする機能とを備えている。
【００３２】
又、収納枠６の縁部３５の外縁突出部３７から収納枠内３９側に入った枠内縁部４９には、前面側が３角の頂点５１で、奥側に進むに従って、穴深さが増加する辺５２と、鉛直の辺５３とからなる３角断面で、克つ上前面枠１３の下部の縁部３５の全範囲５５（図１参照）に溝状に形成された外縁溝状凹部５７が設けられている。
【００３３】
この外縁溝状凹部５７は、図４に示すように、ピアノ線やセルなどの異物５９が外縁突出部３７と収納枠６との間から侵入してきた場合に、異物５９を辺５２に沿って、鉛直の辺５３まで案内する機能を有する。この様に異物５９が鉛直の辺５３に達すると、図４に示すように異物５９の先端が辺５３に突き当たり、異物５９が更に侵入することが遮断される。従って、この外縁溝状凹部５７によって、ゴト行為に対する防御機能が向上される。
【００３４】
尚、このゴトに対する防御機能として、更に上前面枠１３の背面側に、収納枠６の凹部内６７に嵌り込む形状に延伸された延伸部６９と、この延伸部６９から突起状に設けられた返し部６１と、上前面枠１３の背面側にビス６３で取り付けられ、収納枠６と、遊技領域２１との間を遮蔽する板状の遮蔽板６５と、収納枠６のビス６３に対向する面７１に、ビス６３の頭を覆う状態に形成されたビス防御穴７３とが設けられている。
【００３５】
このように収納枠６の凹部内６７、延伸部６９、返し部６１、遮蔽板６５、ビス防御穴７３が上前面枠１３と収納枠６との間を入り組み、相互に嵌り込む段階を多くする構成にすることで、上前面枠１３と収納枠６との間を通して行われる異物５９の挿入を極めて難しくすることで、不正を排除する機能を高くする。
【００３６】
次に、外縁突出部３７を指で掴んだり、掛けたりすることを容易にする構成を説明する。
図３、図４に示すように、外縁突出部３７に面する収納枠６の部分に、断面が円弧状で、克つ上前面枠１３の下部の縁部３５の全範囲５５（図１参照）に溝状に形成された外縁凹部７５が形成されている。この外縁凹部７５は、図３、図４に示すように、外縁突出部３７の背面部４３に対向する空間を広げる形状を有し、この背面部４３に指を掛けやすくする。又、この外縁凹部７５は、上前面枠１３を開けるために、外縁突出部３７に指を掛ける場合に、指が収納枠６に触れることを可能な限り防ぎ、収納枠６に傷が付いたり、汚れが付いたりすることを防止する機能を発揮する。従って、美観を保つ働きを有する。
【００３７】
尚、縁部３５の外縁溝状凹部５７に対向する収納枠６の部分に、前面側が徐々に高さを増す斜面７７とレール部７９を有するレール部材８１が設けられている。このレール部材８１は、収納枠６から開けた状態の上前面枠１３を再び収納枠６に閉じる場合に、仮に上前面枠１３がスピーカ１８やガラス板２３、ガラス枠飾り２５、２７等の重量によって、下がって閉まってきた場合に、上前面枠１３の延伸部６９の下端８３をこの斜面７７及びレール部７９によって、適切な位置まで上昇、案内する機能を有する。従って、上前面枠１３は、重量が増加したにも拘わらず、開けるときに開けやすく、閉めるときにも、上前面枠１３を単に閉める動作を行うだけで、適切な位置に案内され、簡単に、克つ確実に施錠される。
【００３８】
次に、パチンコ機１の変形例のパチンコ機１０１を説明する。
図５は、パチンコ機１０１の要部の説明図、図６は、パチンコ機１０１の動作状態の説明図である。
【００３９】
尚、パチンコ機１と同一部材は、同一の符号を付ける。
図５に示すように、パチンコ機１０１は、上前面枠１１３が、下部の縁部３５に、上前面枠１１３から下方に伸び、かつ収納枠１０６の収納枠内３９から収納枠１０６の前面側に突出した外縁突出部１３７を備えている。この外縁突出部１３７方向は、前面部１４１が遊技者から見える位置に有り、縁部３５と、背面部４３とが遊技者から見えない位置になる。
【００４０】
この背面部４３を前面側に引くことで、上前面枠１１３が矢印ＹＡ方向に移動して、上前面枠１１３が内枠５から開けられることになる。従って、この外縁突出部１３７の背面部４３に指を掛けて、矢印ＹＡ方向に引くことで、容易に上前面枠１１３が開けられることになる。
【００４１】
又、上前面枠１１３の縁部３５の外縁突出部１３７から収納枠内３９側に入った枠内縁部４９には、前面側が頂点１５１の円弧状の辺１５２を有する断面で、克つ上前面枠１１３の下部の縁部３５の全範囲５５（図１参照）に溝状に形成された外縁溝状凹部１５７が設けられている。
【００４２】
この外縁溝状凹部１５７は、図６の（Ａ）に示すように、ピアノ線やセルなどの異物５９が外縁突出部１３７と収納枠１０６との間から侵入してきた場合に、異物５９を辺１５２に沿ってレール部材８１側に誘導し、図６の（Ｂ）に示すように、異物５９が上前面枠１１３と、収納枠１０６との間からずれる方向に誘導する。
【００４３】
従って、この外縁溝状凹部１５７によって、ゴト行為に対する防御機能が向上される。
又、図５に示すように、外縁突出部１３７に面する収納枠１０６の部分に、断面が円弧状に形成された外縁凹部１７５が形成されている。この外縁凹部１７５は、外縁突出部１３７の背面部４３に対向する空間を広げる形状を有し、この背面部４３に指を掛けやすくする。
【００４４】
以上に説明したパチンコ機１、１０１は、上前面枠１３、１１３や下前面枠９のデザインに殆ど影響を与えず、かつ遊技者から見えない位置の縁部３５に指掛かりとなる外縁突出部３７、１３７の背面部４３を作ると共に、この外縁突出部３７の背面部４３から遊技領域２１に挿入される異物５９を遮断することができることから、パチンコ機１、１０１の美観を低下させず、或いはデザインの自由度を向上させ、更にセキュリティを向上した上で、上前面枠１３、１１３を容易に開けることを可能して、美観の向上と、セキュリティの向上と、保守点検性の向上とを揃って達成することができるという極めて優れた効果を奏する。
【００４５】
又、外縁凹部７５、１７５により、指掛けがスムースになって、上前面枠１３、１１３の開閉がより容易になるという極めて優れた効果を奏する。
次に上前面枠１３のガラス板２３の下部に取り付けられているガラス枠飾り２７を説明する。
【００４６】
図７は、ガラス枠飾り２７の外観図、図８と図９は、ガラス枠飾り２７の構造の説明図である。
ガラス枠飾り２７は、図７に示すように、遊技客の顔面に相対する向きに発光し、水平に近い状態に位置する発光面２０１と、この発光面２０１とは９０度程度下方方向に発光し、ほぼ垂直に近い状態に位置する発光面２０３と、図８、図９に示すように、発光面２０３の下端２０５から、ほぼ水平方向に配設された発光面２０７と、発光面２０７のほぼ中央に形成された凹部２０９と、凹部２０９の底の遊技者の目に付かない位置に取り付けられた導電性の底板２１１と、この底板２１１の背面側２１３に取付足２１５を介して、取り付けられたランプ基板２１７とを備えている。
【００４７】
ランプ基板２１７には、発光ランプ２１９が発光面２０１方向に発光する向きに、所定数取り付けられている。発光ランプ２１９の取り付け配置や数は、発光素子がＬＥＤであるかや点灯管であるか、ランプであるかなどにより、適宜選択される。
【００４８】
このランプ基板２１７のターミナル２２５と、底板２１１とは、アース線２１２によって接続され、ランプ基板２１７のターミナル２２５には、遊技機アースに接続されるアース線２２１と、図示しないランプ制御基板に接続される電源・制御線２２３と、図示しない発射レールや遊技球受け皿１５に遊技球２４３によって発生し帯電した電荷を集める接地板に接続されたアース線２２２とが接続されている。
【００４９】
これにより、底板２１１の接地と、発射レールと、遊技球受け皿１５の接地の中継とがターミナル２２５を介して行われ、底板２１１、発射レール、遊技球受け皿１５の帯電の放電、および帯電防止が行われる。これにより、遊技者やホールスタッフが底板２１１に触れるだけで、体に帯電した電荷をアースに落とすことが可能になる。従って、上前面枠１３を開ける場合に、ガラス枠飾り２７の発光面２０７に形成された凹部２０９に指２４１を掛けて引く操作を行う場合に、底板２１１にも指２４１が触れて、開閉操作と共に、放電動作を行われる。この後、上前面枠１３を開いて、遊技盤１９などの金属部分に指２４１などが触れても、体の帯電や遊技機２４３などの帯電がなくなっており、静電気ショックを受けることがなくなる。
【００５０】
又、ランプ基板２１７への電源の供給が行われ、発光ランプ２１９が発光面２０１方向に所定の光色の発光を行う。例えば、単色光発光、又はフルカラー発光素子によって、白色、及びフルカラー発光を行う。
【００５１】
発光ランプ２１９が発光した光がそのまま入力する発光面２０１と、その他の発光面２０３、２０７とは、有色、又は無色透明の光透過性の樹脂、例えばポリカーネートを三日月状に一体成形したものであり、図７に示すように縞状のレンズカット２３１が内面側２３３に形成されている。これにより、このレンズカット２３１とによって、発光ランプ２１９の発光が拡散される。
【００５２】
又、発光面２０１の表面側２３５のほぼ中央には、蒲鉾状の凸状突起２３７が発光面２０１の樹脂と一体成形により３本形成され、発光面２０１と発光面２０３との境界部分には、凸状突起２３９が発光面２０１の樹脂と一体成形により１本形成されている。
【００５３】
この凸状突起２３７と、２３９とは、発光ランプ２１９から発光された光を拡散し、遊技客にアピールする働きを有する。
これにより、ガラス枠飾り２７は、遊技者から見えることのない凹部２０９に指２４１を掛けて、上前面枠１３を開ける操作を行うことが出来、上前面枠１３の開閉が容易になると共に、デザインの自由度が向上すると共に、美観の低下を防止することが出来る。
【００５４】
又、凹部２０９を複数の指２４１が掛かる程度まで大きくして、指２４１が滑ることなく、しかもガラス枠飾り２７の把持が十分な強度で行われるようにして、上前面枠１３の開閉を極めて容易に出来るようにしても、遊技者から見える箇所に殆ど影響を与えず、上前面枠１３の美観を向上できると共に、デザインの自由度を向上できるという極めて優れた効果を奏する。
【００５５】
しかも、発光面２０１に対向する凹部２０９の底板２１１の背面側２１３に、ランプ基板２１７を固定する領域を設ける構造としたため、遊技者の目線の方向に対して、真正面からランプ基板２１７上の発光ランプ２１９等の発光状態を見せることが出来、発光ランプ２１９の光を遊技者に強くアピールすることが出来ると共に、指２４１を掛ける領域をも確保できる様になった。
【００５６】
その上、ランプ基板２１７と、発光ランプ２１９の周囲を覆い、飾るガラス枠飾り２７とをユニット構造とすることが出来、組み付け工数の低減を図ることが可能になる。
又、３個のガラス枠飾り２５、２７の中で、最下部に取り付けられているガラス枠飾り２７に設けられ、かつ遊技客に相対する方向に発光する面を有する発光面２０１を形成し、発光面２０３の最上部に近接する発光面２０１の縁部に発光ランプ２１９の光を透過する凸状突起２３９を設け、発光面２０１の中程にも発光ランプ２１９の光を透過する凸状突起２３７を設けたことで、これら凸状突起２３７、２３９が発光ランプ２１９のレンズカットの役目を果たして、光をより拡散させて、遊技客に強くアピールする構造と、手や指２４１を掛ける手がけ領域となる凹部２０９を提供する。
【００５７】
遊技客の略真正面に向けた発光の面を提供する発光面２０１を構成し、この発光面２０１に沿って配置された発光ランプ２１９が賞球の払出異常時には、赤色に点灯し、正常払出時には、緑色に点灯し、その他の異常時には、正常時と異なる発光色で点灯する構成のガラス枠飾り２７が、賞球が払い出され、貯留される遊技球受け皿１５の近傍に位置していることから、賞球が払い出される位置と、その払出の異常を報知する発光表示とが極近くで並ぶことになり、両方を同時に見ながら遊技を楽しむことが可能になる。
【００５８】
従って、従来は、前面枠１３の上方に配置されていた異常報知ランプを見て、何らかの報知が行われたら、遊技球２４３の払出状態の確認を行って、払い出しの異常の有無を判断すると言った煩わしい動作を行わなければならなかったのが、両方が近傍に位置する構成とすることが出来たため、払い出し異常の監視が容易になると共に、見逃すと言ったことも防止することが出来る。
【００５９】
その上、特殊演出時やリーチ時に、液晶表示装置の演出と共に、発光ランプ２１９を多色発光して、遊技状態をより際だたせる演出を実行することができる。
又、ガラス枠飾り２７が上前面枠１３に取り付けられている部材に帯電した電荷や、上前面枠１３の近傍に位置する発射レールなどに帯電した電荷を放電したり、ガラス枠飾り２７にさわった遊技者やホールスタッフの体に帯電した電荷を放電する構成であるため、遊技球２４３に帯電する静電気が除かれると共に、遊技者やホールスタッフに帯電した静電気が除かれる。従って、遊技者やホールスタッフが遊技球２４３に触れても静電気によってショックや不快感を受けることが防止される。
【００６０】
従って、ガラス枠飾り２７は、遊技者の不快感の発生防止機能と遊技感の向上機能とを有し、かつホールスタッフの利便性の向上機能と、不快感の発生防止機能とを有するという極めて優れた効果を奏する。
【００６１】
尚、本発明は上記の実施例に限定されるものでなく、様々な態様の実施が可能である。
例えば、外縁突出部３７に替えて、或いは加えて、上前面枠１３、１１３の縁部の全範囲、特定の範囲、或いは、右側の範囲、又は上前面枠１３、１１３の右側の外縁、例えば鍵飾り３３の下の部分に手が掛かる外縁突出部３７状の部分を形成しても良い。
【００６２】
又、レール部材８１の面７１の形状やレール部７９の形状、およびレール部材８１の形状、幅、数量なども上前面枠１３、１１３を適切な位置まで上げる機能を備えていれば、どの様なものであっても良い。
【００６３】
曲げ部４５、および外縁凹部７５、１７５の形状も上前面枠１３、１１３や下前面枠９とのデザイン上の一体化を図ったどの様な態様のものであっても良い。
ガラス枠飾り２７の形状も  曲げ部４５、および外縁凹部７５、１７５の形状も上前面枠１３、１１３や下前面枠９とのデザイン上の一体化を図ったどの様な態様のものであっても良い。
【００６４】
又、外縁溝状凹部５７の断面形状は、４角状であっても良い。又、外縁溝状凹部５７、１５７に替えて、穴状、凹状にしても良い。
次に特許請求の範囲の構成と、発明の実施の形態との対応を説明する。
【００６５】
請求項１の遊技盤は、遊技盤１９、内枠は、内枠５、収納枠は、収納枠６、１０６、前面枠は、上前面枠１３、１１３、遊技機は、パチンコ機１、１０１、前面枠の下部分の外縁は、縁部３５、外縁突出部は、外縁突出部３７、１３７、外縁凹部は、外縁溝状凹部５７、１５７が対応する。又、遊技盤は、尚書きに記したように、回動式表示装置を利用した回胴式遊技機が対応し、前面枠は、回胴式表示装置の前面に設けられるガラス枠が対応する。
【００６６】
請求項２の円弧状は、外縁溝状凹部１５７の断面形状、３角状は、外縁溝状凹部５７の断面形状、４角状は、尚書きの内容、穴状は、尚書きの内容。溝状は、外縁溝状凹部５７、１５７の形状が対応する。
【００６７】
請求項３の枠凹部は、外縁凹部７５、１７５が対応する。
請求項４の円弧状に形成されたことは、外縁凹部７５、１７５の形状が対応する。
請求項５の遊技球は、遊技球２４３、遊技皿は、遊技球受け皿１５が対応する。
【図面の簡単な説明】
【００６８】
【図１】パチンコ機１を前面側（遊技者側）から見た正面図である。
【図２】パチンコ機１の右側面図である。
【図３】上前面枠１３の下部の詳細図である。
【図４】上前面枠１３の下部の説明図である。
【図５】パチンコ機１０１の要部の説明図である。
【図６】パチンコ機１０１の動作状態の説明図である。
【図７】ガラス枠飾り２７の外観図である。
【図８】ガラス枠飾り２７の構造の説明図である。
【図９】ガラス枠飾り２７の構造の説明図である。
【符号の説明】
【００６９】
１、１０１…パチンコ機、３…外枠、４、７、１１…ヒンジ、
５…内枠、６、１０６…収納枠、９…下前面枠、
１３、１１３…上前面枠、１５…遊技球受け皿、１７…発射強度調整ハンドル、
１８…スピーカ、１９…遊技盤、２１…遊技領域、
２３…ガラス板、２５、２７…ガラス枠飾り、２９…施錠機構、
３１…鍵穴、３３…鍵飾り、３５…縁部、
３７…外縁突出部、３９…収納枠内、４１…前面部、
４３…背面部、４５…曲げ部、４７…凹み曲げ部、
４９…枠内縁部、５１、１５１…頂点、５２、５３…辺、
５５…全範囲、５７、１５７…外縁溝状凹部、５９…異物、
６１…返し部、６３…ビス、６５…遮蔽板、
６７…凹部内、６９…延伸部、７１…面、
７３…ビス防御穴、７５…外縁凹部、７７…斜面、
７９…レール部、８１…レール部材、８３、２０５…下端、
１４１…前面部、１５２…辺、１７５…外縁凹部、
２０１、２０３、２０７…発光面、２０９…凹部、２１１…底板、
２１３…背面側、２１５…取付足、２１７…ランプ基板、
２１９…発光ランプ、２１２、２２１、２２２…アース線、
２２３…電源・制御線、２２５…ターミナル、２３１…レンズカット、
２３３…内面側、２３５…表面側、２３７、２３９…凸状突起、
２４１…指、２４３…遊技球
【図１】
2005237449.tif 000003
【図２】
2005237449.tif 000004
【図３】
2005237449.tif 000005
【図４】
2005237449.tif 000006
【図５】
2005237449.tif 000007
【図６】
2005237449.tif 000008
【図７】
2005237449.tif 000009
【図８】
2005237449.tif 000010
【図９】
2005237449.tif 000011